(57)【要約】【課題】より安全性の高い改札機、発券機、駅務システム、及び改札方法を提供する。【解決手段】改札機２は、携帯可能電子装置７から少なくとも利用者種別情報を含む乗車券情報を読み取る。改札機２は、読み取った乗車券情報に基づいて通行判定を行う。また、改札機２は、乗車券情報に含まれる利用者種別情報に基づいて携帯可能電子装置７を所持する人物の種別を判定し、前記通行判定において判定ＮＧであった場合、前記判定した種別に対応する制御パターンを複数の制御パターンの中から選択し、選択した制御パターンにより扉３０を制御する。【選択図】      図７
2010134799.tif 000002
【特許請求の範囲】
【請求項１】
携帯可能電子装置から少なくとも利用者種別情報を含む乗車券情報を読み取る読取手段と、
前記読取手段により読み取った乗車券情報に基づいて通行判定を行う通行判定手段と、
前記乗車券情報に含まれる利用者種別情報に基づいて種別を判定する種別判定手段と、
扉を制御するための制御パターンを複数備える通行制御手段と、
前記通行判定手段により判定ＮＧであった場合、前記種別判定手段により判定した種別に対応する制御パターンを選択し、選択した制御パターンにより扉を制御するように前記通行制御手段を制御する制御手段と、
を具備することを特徴とする改札機。
【請求項２】
前記種別判定手段は、前記利用者種別情報に基づいて第１の種別、第２の種別、および第３の種別のいずれかである事を判別する事を特徴とする請求項１に記載の改札機。
【請求項３】
前記種別判定手段は、前記利用者種別情報が一般を示す情報である場合、第１の種別であると判定し、前記利用者種別情報が高齢者、障害者、及び子供のいずれかを示す情報である場合、第２の種別であると判定し、前記利用者種別情報が妊婦を示す情報である場合、第３の種別であると判定することを特徴とする請求項２に記載の改札機。
【請求項４】
前記通行制御手段は、扉を閉じる第１の制御パターンと、扉を半分閉じる第２の制御パターンと、扉を開いた状態を継続させる第３の制御パターンとを備え、
前記制御手段は、前記種別判定手段により第１の種別であると判定した場合に第１の制御パターンを選択し、前記種別判定手段により第２の種別であると判定した場合に第２の制御パターンを選択し、前記種別判定手段により第３の種別であると判定した場合に第３の制御パターンを選択する、
ことを特徴とする請求項２に記載の改札機。
【請求項５】
前記読取手段は、前記種別判定手段により第２の種別または第３の種別であると判定した場合、当該携帯可能電子装置を所持する利用者が改札機を通過するまで次の携帯可能電子装置の読み取りを停止することを特徴とする請求項２に記載の改札機。
【請求項６】
操作入力を受け付ける操作入力手段と、
種々の情報の表示を行う表示手段と、
前記表示手段に複数の利用者種別情報を表示させ、前記操作入力手段により入力された操作に応じて利用者種別情報を選択する制御手段と、
前記制御手段により選択された利用者種別情報を携帯可能電子装置に書き込む書込手段と、
を具備することを特徴とする発券機。
【請求項７】
発券機と改札機とを具備する駅務システムであって、
前記発券機は、
操作入力を受け付ける操作入力手段と、
種々の情報の表示を行う表示手段と、
前記表示手段に複数の利用者種別情報を表示させ、前記操作入力手段により入力された操作に応じて利用者種別情報を選択する制御手段と、
前記制御手段により選択された利用者種別情報を携帯可能電子装置に書き込む書込手段と、
を具備し、
前記改札機は、
前記携帯可能電子装置から少なくとも利用者種別情報を含む乗車券情報を読み取る読取手段と、
前記読取手段により読み取った乗車券情報に基づいて通行判定を行う通行判定手段と、
前記乗車券情報に含まれる利用者種別情報に基づいて種別を判定する種別判定手段と、
扉を制御するための制御パターンを複数備える通行制御手段と、
前記通行判定手段により判定ＮＧであった場合、前記種別判定手段により判定した種別に対応する制御パターンを選択し、選択した制御パターンにより扉を制御するように前記通行制御手段を制御する制御手段と、
を具備することを特徴とする駅務システム。
【請求項８】
携帯可能電子装置から少なくとも利用者種別情報を含む乗車券情報を読み取り、
前記読み取った乗車券情報に基づいて通行判定を行い、
前記乗車券情報に含まれる利用者種別情報に基づいて種別を判定し、
前記通行判定において判定ＮＧであった場合、前記判定した種別に対応する制御パターンを複数の制御パターンの中から選択し、選択した制御パターンにより扉を制御する、
ことを特徴とする改札方法。
【発明の詳細な説明】
【技術分野】
【０００１】
本発明は、利用者の状態に応じた処理を行う改札機、発券機、駅務システム、及び改札方法に関する。
【背景技術】
【０００２】
鉄道各社の駅には、各種の駅務処理を行なう駅務機器が設置されている。このような駅務機器では、入場券、定期券、乗車券、ストアードフェアカード（ＳＦカード）などの情報記憶媒体に対して種々の処理が行われる。
【０００３】
近年、情報記憶媒体として、駅務機器と無線でデータの送受信を行なうことにより、種々の処理を受けることができるＩＣ（Ｉｎｔｅｇｒａｔｅｄ  Ｃｉｒｃｕｉｔ）を有したＩＣ乗車券などが普及しつつある。
【０００４】
従来の駅務システムにおける改札機は、改札処理を行う場合、上記したようなＩＣ乗車券（携帯可能電子装置）に記憶されている情報を読み取り、通行の可否の判定を行う。改札機は、通行が可であると判定した場合、扉を閉めずに利用者の通行をセンサなどにより確認する。また、改札機は、通行が否（ＮＧ）であると判定した場合、利用者の通行を阻止するために扉を閉めるように制御を行う。
【０００５】
しかし、利用者の通行を阻止するために扉を閉める場合、利用者が扉の動作に気付かずに扉に強く衝突する、または転倒するなどの可能性がある。例えば、利用者が高齢者、または小児である場合、扉により転倒する可能性がある。そこで、利用者が高齢者、または小児である場合、通常より遅い速度、弱い保持力で扉を閉める自動改札機が提供されている（例えば、特許文献１参照）。
【特許文献１】特開２００４−２８０６８５号公報
【発明の開示】
【発明が解決しようとする課題】
【０００６】
上記の自動改札機は、ＩＣ乗車券に保持されている種別情報に基づいて利用者の種別を判別し、判別した種別に応じた扉の動作を行う。しかし、上記の自動改札機は、判定がＮＧであると判定した場合、いずれにしても扉を閉めるように制御する。例えば、利用者が妊婦である場合、扉により腹部を圧迫する可能性があるという問題がある。
【０００７】
そこで、本発明の一形態における目的は、より安全性の高い改札機、発券機、駅務システム、及び改札方法を提供することにある。
【課題を解決するための手段】
【０００８】
本発明の一実施形態に係る改札機は、携帯可能電子装置から少なくとも利用者種別情報を含む乗車券情報を読み取る読取手段と、前記読取手段により読み取った乗車券情報に基づいて通行判定を行う通行判定手段と、前記乗車券情報に含まれる利用者種別情報に基づいて種別を判定する種別判定手段と、扉を制御するための制御パターンを複数備える通行制御手段と、前記通行判定手段により判定ＮＧであった場合、前記種別判定手段により判定した種別に対応する制御パターンを選択し、選択した制御パターンにより扉を制御するように前記通行制御手段を制御する制御手段と、を具備する。
【０００９】
また、本発明の一実施形態に係る発券機は、操作入力を受け付ける操作入力手段と、種々の情報の表示を行う表示手段と、前記表示手段に複数の利用者種別情報を表示させ、前記操作入力手段により入力された操作に応じて利用者種別情報を選択する制御手段と、前記制御手段により選択された利用者種別情報を携帯可能電子装置に書き込む書込手段と、を具備する。
【００１０】
また、本発明の一実施形態に係る駅務システムは、発券機と改札機とを具備する駅務システムであって、前記発券機は、操作入力を受け付ける操作入力手段と、種々の情報の表示を行う表示手段と、前記表示手段に複数の利用者種別情報を表示させ、前記操作入力手段により入力された操作に応じて利用者種別情報を選択する制御手段と、前記制御手段により選択された利用者種別情報を携帯可能電子装置に書き込む書込手段と、を具備し、前記改札機は、前記携帯可能電子装置から少なくとも利用者種別情報を含む乗車券情報を読み取る読取手段と、前記読取手段により読み取った乗車券情報に基づいて通行判定を行う通行判定手段と、前記乗車券情報に含まれる利用者種別情報に基づいて種別を判定する種別判定手段と、扉を制御するための制御パターンを複数備える通行制御手段と、前記通行判定手段により判定ＮＧであった場合、前記種別判定手段により判定した種別に対応する制御パターンを選択し、選択した制御パターンにより扉を制御するように前記通行制御手段を制御する制御手段と、を具備する。
【００１１】
また、本発明の一実施形態に係る改札方法は、携帯可能電子装置から少なくとも利用者種別情報を含む乗車券情報を読み取り、前記読み取った乗車券情報に基づいて通行判定を行い、前記乗車券情報に含まれる利用者種別情報に基づいて種別を判定し、前記通行判定において判定ＮＧであった場合、前記判定した種別に対応する制御パターンを複数の制御パターンの中から選択し、選択した制御パターンにより扉を制御する。
【発明の効果】
【００１２】
この発明の一形態によれば、より安全性の高い改札機、発券機、駅務システム、及び改札方法を提供することができる。
【発明を実施するための最良の形態】
【００１３】
以下、図を参照しながら、本発明の一実施形態に係る改札機、発券機、駅務システム、及び改札方法について詳細に説明する。
【００１４】
図１は、本発明の一実施形態に係る駅務システム１００の構成例について説明する為の図である。駅務システム１００は、発券機１、及び改札機２などを備えている。発券機１は、改札機２で処理する乗車券情報を記憶したＩＣカード７（ＩＣ乗車券）を発行する。改札機２は、ＩＣカード７に記憶されている乗車券情報に基づいて鉄道などの交通機関における改札処理を行なう。
【００１５】
発券機１は、駅の係員の操作に応じて、ＩＣカード７の新規発行、または更新を行う。即ち、発券機１は、係員により入力される利用者情報、及び定期券情報に基づいてＩＣカード７の発行を行う。
【００１６】
改札機２は、駅の改札口などに設置され、改札口で利用者の所持するＩＣカード７に対して改札処理を行なう。有効な乗車券情報（定期券情報を含む）が記憶されたＩＣカード７が改札機２のＩＣカード処理部に翳された場合、改札機２は、ＩＣカード７を所持する利用者の通行を許可する。この場合、改札機２は、扉を開いた状態にする。
【００１７】
発券機１により発行されたＩＣカード７は、ＩＣ内部に不揮発性メモリを有している。ＩＣ乗車券として機能するＩＣカード７の不揮発性メモリには、鉄道などの交通機関を利用する為の乗車券情報が記憶されている。例えば、ＩＣカード７がストアードフェアカードとして用いられる場合、ＩＣカード７は、ＩＤ番号、残額情報及び利用履歴などの情報を保持する。また、ＩＣカード７が定期券として利用される場合、ＩＣカード７は、さらにＩＣカード７を所持する人物の氏名、年齢、及び性別などの利用者情報、並びに定期券情報などの情報を保持する。
【００１８】
ＩＣカード７に記憶されているＩＤ番号は、ＩＣカード固有の情報である。改札機２などの駅務機器は、ＩＤ番号を用いてＩＣカードから読み取った情報を識別する。定期券情報は、例えば有効期間及び有効区間などの情報である。有効期間は、ＩＣカード７を定期券として利用することが可能な期間を示す情報である。有効区間は、ＩＣカード７を定期券として利用することが可能な区間を示す情報である。残額情報は、料金の精算に利用可能な金額を示す情報である。利用履歴は、改札を通過した履歴を示す情報である。
【００１９】
また、本実施形態におけるＩＣカード７は、ＩＣカード７を所持する利用者の種別を示す情報（利用者種別情報）を記憶している。利用者種別情報は、ＩＣカード７の発行時、若しくは、更新時に発券機１により書き込まれるものである。利用者は、例えば、「高齢者」、「障害者」、「妊婦」、「子供」、及び「一般」などの種別に分類される。ＩＣカード７は、利用者の種別に応じたデータをＩＣ内の不揮発性メモリの所定位置のビットに記憶している。
【００２０】
図２は、図１に示す発券機１の構成例について説明するためのブロック図である。  
図２に示すように、発券機１は、制御部１１、表示部１２、操作入力部１３、ＩＣリーダライタ１４、発行部１５、記憶部１６、及び通信部１７などを有している。
【００２１】
制御部１１は、発券機１全体の制御を司るものである。制御部１１は、ＣＰＵ、ＣＰＵの作業領域として機能するバッファメモリ、ＣＰＵが実行する種々のプログラムや制御データなどが記憶されているプログラムメモリなどを備えている。制御部１１は、ＣＰＵがプログラムを実行することにより種々の機能を実現している。
【００２２】
表示部１２は、表示手段として機能する。表示部１２は、各種の処理結果、および、係員への案内表示などを表示する表示装置である。操作入力部１３は、乗車券（ＩＣカード７）を発行するために必要な情報の入力を受け付ける操作入力手段である。係員は、操作入力部１３により乗車券情報を発券機１に入力する。なお、表示部１２及び操作入力部１３は、タッチパネル内蔵の表示装置などにより一体に形成されていてもよい。
【００２３】
ＩＣリーダライタ１４は、ＩＣカード７に対して処理を行なうものである。ＩＣリーダライタ１４は、例えば、利用者から受け取ったＩＣカードに対して更新処理を行う。またＩＣリーダライタ１４は、発券機１内にストックされているＩＣカードを用いて発行処理を行う。
【００２４】
ＩＣリーダライタ１４は、カードスロット（図示せず）を有している。ＩＣリーダライタ１４は、カードスロット内に挿入されたＩＣカード７と無線通信を行なう為のアンテナを有している。ＩＣカードスロットにＩＣカード７が挿入されると、ＩＣリーダライタ１４は、制御部１１からの指示に基づいて、電波を発する。これにより、ＩＣリーダライタ１４は、ＩＣカード７の記憶内容を読み取る、またはデータを書き込むなどの処理を行う。
【００２５】
発行部１５は、操作入力部１３により入力された乗車券情報をＩＣカード７の内部メモリに書き込み、発行する。即ち、発行部１５は、発行手段である。またさらに、係員が利用者から貨幣を預かり、預かった貨幣の金額に応じた残額情報を、ＩＣカード７の内部メモリに書き込んでもよい。
【００２６】
記憶部１６は、利用者の種別に対応するデータを記憶する。例えば、利用者の種別が「一般」である場合「００」の識別子が対応付けられている。また、利用者の種別が「高齢者」、「障害者」、または「子供」である場合「０１」の識別子が対応付けられている。また、利用者の種別が「妊婦」である場合「１０」の識別子が対応付けられている。また、記憶部１６は、各種別を選択する為の条件を示す情報を併せて記憶している。
【００２７】
係員は、利用者の申請に基づいて条件（年齢、障害者手帳提示、または母子手帳提示など）を確認し、種別を選択する。発券機１の制御部１１は、係員により選択された種別に対応する識別子を利用者種別情報としてＩＣリーダライタ１４によりＩＣカード７に書き込む。即ち、制御部１１は、制御手段として機能する。また、ＩＣリーダライタ１４は、書込手段として機能する。
【００２８】
発券機１の制御部１１は、係員により入力された乗車券情報と利用者の種別を選択するための条件とを比較し、利用者の種別を自動的に選択してもよい。即ち、制御部１１は、利用者の年齢が「高齢者」または「子供」に該当する場合、「０１」の識別子をＩＣカード７に書き込むように制御する。また、制御部１１は、割引コードが適用されていると判定した場合も、「０１」の識別子をＩＣカード７に書き込むように制御する。また、利用者が母子手帳を提示した場合、制御部１１は、「１０」の識別子をＩＣカード７に書き込むように制御してもよい。これにより、利用者の深刻がない場合であっても、利用者の種別に応じた利用者種別情報をＩＣカード７に書き込むことができる。
【００２９】
通信部１７は、上位サーバとデータの通信を行なう為の外部通信ユニットである。上位サーバは、電鉄会社の管理センタなどに設置されている。発券機１は、通信部１７により、上位サーバと通信を行い、利用状況などを送信する。
【００３０】
図３は、図１に示すＩＣカード７の構成例について説明するためのブロック図である。  
図３に示すように、ＩＣカード７は、ＣＰＵ７１、通信部７２、ＲＯＭ７３、ＲＡＭ７４、および不揮発性メモリ７５などを有している。
【００３１】
ＣＰＵ７１は、ＩＣカード７全体の制御を司るものである。ＣＰＵ７１は、ＲＯＭ７３あるいは不揮発性メモリ７５に記憶された制御プログラムに基づいて動作することにより種々の機能を実現している。
【００３２】
通信部７２は、図１に示す発券機１および改札機２とデータの送受信を行なうための通信インターフェースとして機能する。通信部７２は、アンテナおよび通信制御部などを備えている。
【００３３】
ＲＯＭ７３は、予め制御用のプログラムや制御データなどが記憶されている不揮発性のメモリである。ＲＯＭ７３は、製造段階でＩＣチップ内に組み込まれるものである。ＲＯＭ７３に記憶されている制御プログラムは、予めＩＣカード７の仕様に応じて組み込まれる。
【００３４】
ＲＡＭ７４は、ワーキングメモリとして機能する揮発性のメモリである。ＲＡＭ７４は、ＣＰＵ７１が処理中のデータなどを一時保管するバッファメモリとして機能する。例えば、ＲＡＭ７４は、通信部７２を介して発券機１および改札機２などから受信したデータ、あるいは、発券機１および改札機２などへ送信するデータを一時的に保管する。
【００３５】
不揮発性メモリ７５は、例えば、ＥＥＰＲＯＭあるいはフラッシュＲＯＭなどのデータの書き込み及び書き換えが可能な不揮発性のメモリにより構成される。不揮発性メモリ７５には、ＩＣカード７の運用用途に応じてプログラムファイルやデータファイルなどが定義され、それらのファイルにデータが書き込まれる。ここでは、不揮発性メモリ７５は、改札処理に用いられる乗車券情報を記憶するための記憶領域７６を備えている。
【００３６】
図４は、図３に示す不揮発性メモリ７５の記憶領域７６に格納されているデータの構成例について説明するための説明図である。  
図４に示すように、不揮発性メモリ７５の所定の記憶領域７６に乗車券情報が記憶されている。記憶領域７６には、乗車券情報として、利用者情報、ＩＤ番号、定期券情報、残額情報、及び利用履歴などの情報が格納されている。
【００３７】
利用者情報は、ＩＣカード７を所持する人物の住所、氏名、年齢、及び性別などの情報を含む。さらに、利用者情報は、上記の発券機１により選択される利用者種別情報を含む。
【００３８】
定期券情報は、上記したように、有効期間及び有効区間などの情報を含む。乗車券情報は、上記した発券機１により書き換え（更新）及び新規書き込みが可能である。また、乗車券情報の残額情報及び利用履歴用履歴は、改札機２により書き換え、または追記を行うことができる。なお、ＩＤ番号は、ＲＯＭ７３に記憶されていてもよい。
【００３９】
図４（ａ）は、ＩＣカード７の所持者が高齢者、または障害者である場合の記憶領域７６の記憶内容を示す。図４（ａ）に示す例によると、「高齢者」または「障害者」であることを示す情報が利用者種別情報として格納されている。
【００４０】
また、図４（ｂ）は、ＩＣカード７の所持者が妊婦である場合の記憶領域７６の記憶内容を示す。図４（ｂ）に示す例によると、「妊婦」であることを示す情報が利用者種別情報として格納されている。
【００４１】
またさらに、図４（ｃ）は、ＩＣカード７の所持者が一般である場合の記憶領域７６の記憶内容を示す。図４（ｃ）に示す例によると、「一般」であることを示す情報が利用者種別情報として格納されている。
【００４２】
図５は、図１に示す自動改札機２の構成例について説明するためのブロック図である。図６は、図５に示す改札機２のＩＣカード処理部近傍の外観を示す図である。  
図５に示すように、改札機２は、制御部２１、ＩＣカード処理部２３、メモリ２６、通信部２７、通行制御部２８、表示部２９、及び扉３０などを有している。
【００４３】
制御部２１は、改札機２全体の制御を司るものである。制御部２１は、ＣＰＵ、ＣＰＵの作業領域として機能するバッファメモリ、ＣＰＵが実行する種々のプログラムや制御データなどが記憶されているプログラムメモリなどから構成される。制御部２１では、ＣＰＵがプログラムを実行することにより種々の機能を実現している。
【００４４】
ＩＣカード処理部２３は、利用者が所持するＩＣカード７を処理するものである。ＩＣカード処理部２３は、送受信部２４を有している。送受信部２４は、例えば、アンテナなどで構成され、ＩＣカード７との電波の送受信を行なうためのものである。送受信部２４は、アンテナからの電波が届く範囲である送受信可能エリア２５内に存在するＩＣカードを検知し、通信を行なう。即ち、ＩＣカード処理部２３は、読取手段として機能する。
【００４５】
ＩＣカード処理部２３は、制御部２１からの指示に基づいて、送受信部２４を介して送受信可能エリア２５内に存在するＩＣカード７から少なくとも識別情報を含む乗車券情報を読み取る。
【００４６】
なお、図６に示すように、送受信部２４の縁部には、リング状にダイオードなどの光源２２が配置されている。例えば、改札機２がＩＣカード７を読み取り可能な状態である場合、制御部２１は、リング状に配置された光源２２を点灯させるように制御する。これにより、利用者が目視により改札機２の状態を確認することができる。
【００４７】
また、ＩＣカード処理部２３は、ＩＣカード７に対してデータを書き込む書込処理を行なう。ＩＣカード処理部２３は、書込処理を行なう際、ＩＣカード７からデータの書き込み完了を示すコマンドを受信したか否かに基づいて、書込処理が完了したか否かを判定する。
【００４８】
メモリ２６は、精算処理に必要な運賃情報などを記憶している。通信部２７は、サーバとデータの通信を行なう為の外部通信ユニットである。
【００４９】
通行制御部２８は、通行制御手段として機能する。通行制御部２８は、利用者の通行を制御するものである。通行制御部２８は、例えば、利用者の通行を阻止する扉３０を制御する扉開閉機構（図示せず）を備えている。また、改札機２は、当該改札機２内を通過する人を検知するセンサ（図示せず）を有している。通行制御部２８は、センサの検知結果に基づいてドアの開閉のタイミングを制御している。表示部２９は、利用者への案内表示などを表示する表示装置などから構成されている。
【００５０】
次に制御部２１が有している種々の機能について説明する。  
制御部２１は、ＩＣカード処理部２３により読み取ったＩＣカード７に記憶されている乗車券情報を読み取る処理を行なう。また、制御部２１は、ＩＣカード７から読み取った乗車券情報に基づいて利用者の通行の可否を判定する処理を行なう。即ち、制御部２１は、ＩＣカード７から読み取った利用履歴及び定期券情報に基づいて、引去り額（運賃）を算出する。次に、制御部２１は、算出した引去り額とＩＣカード７から読み取った残額情報とを比較し、比較した結果に基づいて利用者の通行判定を行う。即ち、制御部２１は、通行判定手段として機能する。
【００５１】
通行判定がＯＫである場合、制御部２１は、ＩＣカード７の乗車券情報を書き換える。即ち、制御部２１は、ＩＣカード７に記憶されている残額情報の金額を、算出した引去り額を引いた額に書き換える。また、制御部２１は、最新の利用履歴を書き込む。即ち、制御部２１は、ＩＣカード７から読み取った乗車券情報に基づいて改札処理を行ない、処理後の残額情報及び利用履歴をＩＣカード７に書き込む。
【００５２】
また、通行判定がＮＧである場合、制御部２１は、扉３０を閉めるように通行制御部２８に指令を送信する。通行制御部２８は、制御部２１から扉３０を閉じる指令を受信した場合、扉開閉機構を動作させ、扉３０を閉じる。
【００５３】
通行制御部２８は、扉の制御パターンを複数有している。例えば、第１の制御パターンにより扉３０を閉じる場合、通行制御部２８は、改札機２が両側に設置されて形成されている通路の幅方向に隙間ができないように扉３０を動作させる。これは、従来と同様の扉制御であり、通行制御部２８は、少なくとも、人が通過できない程度に通路を扉３０により塞ぐ。
【００５４】
また、第２の制御パターンにより扉３０を閉じる場合、通行制御部２８は、扉３０を半分閉じるように動作させる。即ち、この構成によると、扉３０が閉じた状態でも、改札機２が両側に設置されて形成されている通路の幅方向に、人が挟まれない程度の隙間ができる。この構成によると、利用者が扉３０に衝突、または扉３０により転倒することを防ぐことができる。
【００５５】
また、第３の制御パターンが用いられる場合、通行制御部２８は、扉３０を動作させずに利用者の通行を促す。
【００５６】
制御部２１は、改札処理の結果に基づいて、上記した制御パターンのいずれかにより扉３０を制御するように通行制御部２８に指令を送信する。制御部２１は、ＩＣカード７から読み取った利用者種別情報に基づいて、利用者の種別を判定する。即ち、制御部２１は、種別判定手段として機能する。
【００５７】
即ち、制御部２１は、通行判定がＮＧであり、且つ、ＩＣカード７から読み取った利用者種別情報が「一般」である場合、第１の制御パターンにより扉３０を制御するように通行制御部２８に指令を送信する。
【００５８】
また、制御部２１は、通行判定がＮＧであり、且つ、ＩＣカード７から読み取った利用者種別情報が「高齢者」、「子供」、または「障害者」である場合、第２の制御パターンにより扉３０を制御するように通行制御部２８に指令を送信する。
【００５９】
また、制御部２１は、通行判定がＯＫである場合、第３の制御パターンにより扉３０を制御するように通行制御部２８に指令を送信する。
【００６０】
またさらに、制御部２１は、通行判定がＮＧであり、且つ、ＩＣカード７から読み取った利用者種別情報が「妊婦」である場合、第３の制御パターンにより扉３０を制御するように通行制御部２８に指令を送信する。
【００６１】
このように、通行判定ＮＧであった場合、制御部２１は、利用者種別情報に基づいて判別した種別に対応する制御パターンを選択し、選択した制御パターンにより扉３０を制御するように通行制御部２８を制御する。即ち、制御部２１は、制御手段として機能する。
【００６２】
上記したように、本実施形態に係る改札機２は、利用者が「高齢者」、「子供」、または「障害者」である場合、扉３０を半分閉じるように制御を行う。また、改札機２は、利用者が「妊婦」である場合、通行判定がＮＧであっても扉３０動作させない。これにより、利用者が扉３０に衝突する、扉３０により転倒する、扉３０により挟まれることなどを防ぐことができる。特に、利用者が妊婦である場合、腹部を圧迫する可能性を排除することができる。
【００６３】
またさらに、制御部２１は、ＩＣカード７から読み取った利用者種別情報が「高齢者」、「子供」、「障害者」、または「妊婦」であると判断した場合、次のＩＣカードの受付を遅らせるように制御を行う。この場合、制御部２１は、ＩＣカード７を所持する人物が改札機２を通過したことをセンサなどにより検知するまで、次のＩＣカードに対する処理を行わないように制御する。即ち、ＩＣカード７を所持する人物が改札機２を通過したことをセンサなどにより検知した場合、制御部２１は、送受信部２４により次のＩＣカードに対する処理を再開させる。
【００６４】
このように、ＩＣカード７から「高齢者」、「子供」、「障害者」、または「妊婦」の利用者種別情報を読み取り、次のＩＣカード受け付けない場合、制御部２１は、送受信部２４の縁部にリング状に配置されている光源２２を消灯させる。
【００６５】
図７は、図５に示す改札機２において実行される改札処理について説明するためのフローチャートである。
【００６６】
改札機２は、ＩＣカード７を読み取り可能な状態である場合、ＩＣカード処理部２３の送受信部２４の近傍に設置されている光源２２を点灯させ、送受信可能エリア２５内に存在するＩＣカードの検知を常に行う。例えば、利用者がＩＣカード７を改札機２の送受信部２４に翳した場合、送受信部２４は、ＩＣカード７を検知する。
【００６７】
ＩＣカード７を検知した場合、改札機２の制御部２１は、ＩＣカード処理部２３により、ＩＣカード７に記憶されている乗車券情報を読み取る（ステップＳ１１）。
【００６８】
乗車券情報を読み取ると、制御部２１は、通行判定を行う（ステップＳ１２）。即ち、制御部２１は、ＩＣカード７から読み取った利用履歴及び定期券情報に基づいて、引去り額（運賃）を算出する。次に、制御部２１は、算出した引去り額とＩＣカード７から読み取った残額情報とを比較し、比較した結果に基づいて利用者の通行判定を行う。
【００６９】
通行判定がＯＫである場合、制御部２１は、ＩＣカード７の乗車券情報を書き換える（ステップＳ１３）。即ち、制御部２１は、ＩＣカード７に記憶されている残額情報の金額を、算出した引去り額を引いた額に書き換える。また、制御部２１は、最新の利用履歴を書き込む。
【００７０】
乗車券情報の書き換えが終了した場合、制御部２１は、第３の制御パターンにより扉３０を制御するように通行制御部２８に指令を送信する。即ち、改札機２の通行制御部２８は、扉３０を動作させず、利用者の通行を促し（ステップＳ１４）、処理を終了する。
【００７１】
また、ステップＳ１２において、通行判定がＮＧである場合、制御部２１は、窓口に向かうことを促す案内表示を表示部２９に表示させる（ステップＳ１５）。さらに、制御部２１は、ＩＣカード７から読み取った利用者種別情報が「妊婦」を示す「１０」であるか否か判定する（ステップＳ１６）。
【００７２】
ステップＳ１６において、ＩＣカード７から読み取った利用者種別情報が「妊婦」を示す情報であると判定した場合（ステップＳ１６、ＹＥＳ）、制御部２１は、第３の制御パターンにより扉３０を制御するように通行制御部２８に指令を送信する（ステップＳ１４）。
【００７３】
ステップＳ１６において、ＩＣカード７から読み取った利用者種別情報が「妊婦」を示す情報ではないと判定した場合（ステップＳ１６、ＮＯ）、制御部２１は、ＩＣカード７から読み取った利用者種別情報が「高齢者」、「子供」、または「障害者」を示す「０１」であるか否か判定する（ステップＳ１７）。
【００７４】
ステップＳ１７において、ＩＣカード７から読み取った利用者種別情報が「高齢者」、「子供」、または「障害者」を示す情報であると判定した場合（ステップＳ１７、ＹＥＳ）、制御部２１は、第２の制御パターンにより扉３０を制御するように通行制御部２８に指令を送信する。即ち、改札機２の通行制御部２８は、扉３０を半分閉じるように制御し（ステップＳ１８）、処理を終了する。
【００７５】
また、ステップＳ１７において、ＩＣカード７から読み取った利用者種別情報が「高齢者」、「子供」、または「障害者」を示す情報ではないと判定した場合（ステップＳ１７、ＮＯ）、制御部２１は、利用者の種別が「一般」であると判断し、第１の制御パターンにより扉３０を制御するように通行制御部２８に指令を送信する。即ち、改札機２の通行制御部２８は、扉３０を閉じ、利用者の通行を阻止し（ステップＳ１９）、処理を終了する。
【００７６】
図８は、図５に示す改札機２の扉３０の開閉について説明するための説明図である。  
図８（ａ）は、通行判定がＯＫである場合の扉３０の開閉の例について示す図である。図８（ａ）に示すように、第３の制御パターンが適用される為、改札機２は、扉３０を開いた状態となっている。
【００７７】
図８（ｂ）は、通行判定がＮＧであり、且つ、利用者種別情報が「一般」である場合の扉３０の開閉の例について示す図である。図８（ｂ）に示すように、第１の制御パターンが適用される為、改札機２は、扉３０を閉じ、利用者の通行を阻止する状態となっている。
【００７８】
図８（ｃ）は、通行判定がＮＧであり、且つ、利用者種別情報が「高齢者」、「子供」、または「障害者」である場合の扉３０の開閉の例について示す図である。図８（ｃ）に示すように、第２の制御パターンが適用される為、改札機２は、扉３０を半分閉じた状態となっている。
【００７９】
図８（ｄ）は、通行判定がＮＧであり、且つ、利用者種別情報が「妊婦」である場合の扉３０の開閉の例について示す図である。図８（ｄ）に示すように、通行判定はＮＧであるが、第３の制御パターンが適用される為、改札機２は、扉３０を開いた状態となっている。
【００８０】
上記したように、本実施形態に係る駅務システムでは、利用者の状態に応じた利用者種別情報を乗車券情報に付加してＩＣカードを発行する。改札機は、ＩＣカードから読み取った乗車券情報に基づいて通行判定を行う。通行判定においてＮＧと判定された場合、改札機は、乗車券情報に含まれる利用者種別情報により利用者の種別を判別し、判別した種別に対応する制御パターンにより扉の開閉を行う。これにより、改札機は、利用者の状態に応じた扉の開閉を行うことができる。この結果、より安全性の高い改札機、発券機、駅務システム、及び改札方法を提供することができる。
【００８１】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【００８２】
例えば、本実施形態では、乗車券情報の利用者情報に利用者種別情報を追加するとして説明したがこれに限定されない。例えば、ＩＤ番号の所定の桁を利用者種別情報として用いてもよい。
【００８３】
また、本実施形態では、利用者が高齢者、障害者、または子供である場合に扉を第２の制御パターンにより制御し、利用者が妊婦である場合に扉を第３の制御パターンにより制御するとして説明したがこれに限定されない。例えば、利用者の種別をさらに追加し、制御パターンを割り当ててもよい。また、現在の種別に別の制御パターンを割り当ててもよい。
【００８４】
また、第２の制御パターンは、扉を半分閉じる制御として説明したが、これに限定されない。対応する種別の利用者が安全に利用できるような扉の制御方法であれば、如何なる方法を用いてもよい。
【００８５】
また、本実施形態では、利用者種別情報をＩＣカードに記憶する構成として説明したがこれに限定されない。例えば、ＩＣカードのＩＤ番号と利用者種別情報を対応付けて上位サーバに記憶する構成であってもよい。この場合、改札機は、ＩＣカードから読み取ったＩＤ番号に対応付けられている利用者種別情報を上位サーバから取得する。
【図面の簡単な説明】
【００８６】
【図１】図１は、本発明の一実施形態に係る駅務システムの構成例について説明する為の図である。
【図２】図２は、図１に示す発券機の構成例について説明するためのブロック図である。
【図３】図３は、図１に示すＩＣカードの構成例について説明するためのブロック図である。
【図４】図４は、図３に示す不揮発性メモリの記憶領域に格納されているデータの構成例について説明するための説明図である。
【図５】図５は、図１に示す自動改札機の構成例について説明するためのブロック図である。
【図６】図６は、図５に示す改札機のＩＣカード処理部近傍の外観を示す図である。
【図７】図７は、図５に示す改札機において実行される改札処理について説明するためのフローチャートである。
【図８】図８は、図５に示す改札機の扉の開閉について説明するための説明図である。
【符号の説明】
【００８７】
１…発券機、２…改札機、７…ＩＣカード、１１…制御部、１２…表示部、１３…操作入力部、１４…ＩＣリーダライタ、１５…発行部、１６…記憶部、１７…通信部、２１…制御部、２２…光源、２３…ＩＣカード処理部、２４…送受信部、２５…送受信可能エリア、２６…メモリ、２７…通信部、２８…通行制御部、２９…表示部、３０…扉、７１…ＣＰＵ、７２…通信部、７３…ＲＯＭ、７４…ＲＡＭ、７５…不揮発性メモリ、７６…記憶領域、１００…駅務システム。
【図１】
2010134799.tif 000003
【図２】
2010134799.tif 000004
【図３】
2010134799.tif 000005
【図４】
2010134799.tif 000006
【図５】
2010134799.tif 000007
【図６】
2010134799.tif 000008
【図７】
2010134799.tif 000009
【図８】
2010134799.tif 000010